(57)【特許請求の範囲】
【請求項１】
上方が開放された逆台形錐状の被熱処理流体貯留槽と、該貯留槽の底部に設けられた流下透孔と、前記貯留槽に下垂して設けられた伝熱媒体流通管とからなり、前記被熱処理流体を前記流下透孔から滴下して伝熱媒体流通管の外表面に倣って液膜状に分布且つ流下させながら伝熱媒体流通管を流通する伝熱媒体と熱交換する流下液膜式熱交換装置において、前記貯留槽の底部外面に、最上部の伝熱媒体流通管との間で、前記被熱処理流体の通過流量を制御するための隙間を形成する一対のガイド板を設けたことを特徴とする流下液膜式熱交換装置。
【請求項２】
伝熱媒体流通管は下から上に向かって伝熱媒体を流通させることを特徴とする請求項１記載の流下液膜式熱交換装置。
【請求項３】
伝熱媒体流通管は、複数のパイプを所定間隔をもって連結し、左右に折曲しながら垂直に配置し、且つパイプ同士を縦方向に連結する流下板で連結したことを特徴とする請求項１又は請求項２記載の流下液膜式熱交換装置。
【発明の詳細な説明】
【技術分野】
【０００１】
本発明は、熱交換装置に関し、例えば、高温の流体を自重により液膜状に流下させながら水道水等の冷媒との熱交換によって冷却する装置に関するものである。
【背景技術】
【０００２】
現在、熱交換器の主流である向流式には、シェルパイプ式とプレート式がある。シェルパイプ式は、Ｕ字型又は螺旋状に折曲したパイプに冷媒を通し、高温水の入った筒、又は容器に収容して熱交換を行う。プレート式は、プレス加工により複数の溝条を形成した伝熱板に交互に高温水と低温水を流して熱交換を行う。他にも、熱交換を行う液体を容器に入れ、媒体の流通する螺旋管を投入する投げ込み式、コイル式熱交換器がある。
【０００３】
また、工業用の冷却水用熱交換器のような大型熱交換器としては、クーリングタワーやチラーが使用されるが、設備もコストも過大になる。クーリングタワー１台では所望する充分な冷却ができないため、数台のユニットを要し、且つ冷却水を貯水するための大規模な水槽を要する。クーリングタワーは、外表面に水を流し、流した水を上部からファンによる送風で冷却し外部（外面）からラジエーター内部を冷却するもので、エアコンの室外機と同様に冷媒ガスを機内にて気体から液体に変化させることで、冷媒として伝熱板を境界に交流させて熱交換を行うもので、高温過ぎない２０℃〜３０の℃の液体を冷却するために使用される。例えば、巡回水の温度（２０℃〜２５℃）を一定に保つために使用される。しかしながら、夏場の電気使用量が嵩み多額になる。チラーの弱点は、冷却効果温度−５℃〜−１０℃が限界で処理温度も３０℃以内と低く、それ以上の温度のものは熱交換できない。例えば、温泉の源泉７０℃（１５リットル／分）を４５℃に下げることはできない。すなわち、一般的なチラーは、高温過ぎない２０℃〜３０℃の液体を冷却するため用いられる。
【０００４】
また、従来、熱湯で抽出したてのコーヒーや茶飲料を、冷媒を使って飲み頃の温度まで冷ます冷却装置が各種提案されている。例えば、ホット飲料を冷却プレート上に流し、冷却させる飲料供給機がある（特許文献１参照。）。また、外筒体と、この外筒体に出入できる内筒体とで形成し、これら外筒体と内筒体との間に溝を形成し、この溝をホット飲料の流下路とする飲料供給装置も提案されている（特許文献２参照。）。さらに、注入容器、水冷容器、氷冷容器を上から順に重ね、注入容器に接続した熱交換パイプを水冷容器と氷冷容器に順に通過せしめる飲料冷却装置もある（特許文献３参照。）。
【先行技術文献】
【特許文献】
【０００５】
【特許文献１】特開昭５７−３１８２３号公報
【特許文献２】特許第２８４６６５８号公報
【特許文献３】特許第３１０１５５３号公報
【発明の概要】
【発明が解決しようとする課題】
【０００６】
しかしながら、特許文献１の飲料供給機は、傾斜板の裏面から冷却装置を接続し、この傾斜板上に熱いコーヒーを流下させて冷却を行うものであり、所望の温度まで冷却させるためには、過大な装置を必要とするものであった。また、特許文献２に開示された飲料供給装置は、外筒体の外周に装着する冷却パイプや内筒体に封入する蓄冷材を要し、コストが嵩む。特許文献３の飲料冷却装置は、熱交換パイプ内に飲料成分が付着するため、常時清掃が必要であるが、パイプが長尺になればなるほど多大な手間を要するばかりでなく、充分に掃除が行き届かないおそれがある。
【０００７】
本発明は以上のような従来技術の課題に鑑み、簡単な構造でありながら、極めて短時間のうちに高温の流体を冷却又は低温の流体を加熱することができるばかりでなく、被熱処理流体が付着した部位の清掃も簡便且つ確実に行うことができる流下液膜式熱交換装置を提供することを目的とするものである。
【課題を解決するための手段】
【０００８】
このため本発明の流下液膜式熱交換装置は、上方が開放された逆台形錐状の被熱処理流体貯留槽と、該貯留槽の底部に設けられた流下透孔と、前記貯留槽に下垂して設けられた伝熱媒体流通管とからなり、前記被熱処理流体を前記流下透孔から滴下して伝熱媒体流通管の外表面に倣って液膜状に分布且つ流下させながら伝熱媒体流通管を流通する伝熱媒体と熱交換する流下液膜式熱交換装置において、前記貯留槽の底部外面に、最上部の伝熱媒体流通管との間で、前記被熱処理流体の通過流量を制御するための隙間を形成する一対のガイド板を設けたことをを第１の特徴とする。また、伝熱媒体流通管は下から上に向かって伝熱媒体を流通させることを第２の特徴とする。さらに、伝熱媒体流通管は、複数のパイプを所定間隔をもって連結し、左右に折曲しながら垂直に配置し、且つパイプ同士を縦方向に連結する流下板で連結したことを第３の特徴とする。
【発明の効果】
【０００９】
本発明に係る熱交換装置によれば、下記の優れた効果がある。
（１）被加熱の流下液膜側の伝熱は、液位の影響がないため、小温度差の条件でも発揮できる。
（２）流下吸収液膜側の局部伝達係数が高い。
（３）排熱又は高温水より低温水まで利用でき、その持っている熱エネルギーの利用率が高くなる。
（４）被熱処理流体槽の下方に一対のガイド板を設けたので、流下した流体が飛散することなく、熱交換パイプ表面に確実に供給することができる。
【００１０】
すなわち、従来のクーリングタワーと違い、周辺に水滴が飛散することがなく、小スペースに設置できる。また。熱源流体あるいは排熱の持っている熱エネルギーをより低温まで利用できるかあるいは回収できることにより所要装置の容積低減と温度効率の向上、エネルギー利用効率の向上を図ることができる。
【図面の簡単な説明】
【００１１】
【図１】本発明に係る流下液膜式熱交換装置の一実施例を示す斜視図である。
【図２】図１の一部切り欠き正面図である。
【図３】図２の平面図である。
【図４】図２のＡ−Ａ線要部断面図である。
【図５】本発明に係る流下式液膜式熱装置の他の実施例を示す正面図である。
【図６】図５の平面図である。
【図７】図５の内部を示す正面図である。
【図８】図５の側面断面図である。
【図９】図５の右側面図である。
【図１０】（ａ）はスリットを示す平面図、（ｂ）は熱交換パイプを示す平面図である。
【図１１】函体の底面図である。
【図１２】図５のＢ−Ｂ線要部断面図である。
【発明を実施するための形態】
【００１２】
次に図面に示す実施例に基づいて本発明の実施の形態を説明するが、本発明が本実施例に限定されないことは言うまでもない。
熱交換を行う液体Ｌ１を流量調節開口部４で適量を調整し下方に供給する。最適流量で供給された液体Ｌ１を伝熱媒体Ｌ２が通る管の外部を流下膜状に流下させる。薄膜化による顕熱輸送の促進及び流下膜表面からの気化との相乗効果により高効率で熱交換できる。
【実施例１】
【００１３】
図１乃至図３に示すように、本発明の熱交換装置１は、上方が開放された金属製の函体２の上部に逆台形錐状の被処理流体貯留槽３が設けられ、この貯留槽３の底部中央には長手方向に流下透孔である滴下孔４が複数穿設されている。貯留槽３の下方には、熱交換部５が滴下孔４と平行して立設され、支柱６によって保持されている。そして、熱交換部５の最上部は一対のガイド板７によって挟持されており、後述する隙間部が形成される。また、熱交換部５の下部には後述する被熱流体を受ける受皿１６が形成されている。
【００１４】
熱交換部５は、複数の金属製パイプ８を夫々平行に離間して配置し、連結板９によって径方向に連結し、その両端をＵ字状の折曲パイプ１０によって連結してループ状に形成されている。そして、函体２の側面に取り付けられた伝熱媒体注水口１１に対して熱交換部５の最下部のパイプ８が接続し、また、伝熱媒体排水口１２には熱交換部５の最上部のパイプ８が接続され、伝熱媒体注水口１１から注入された水道水は、熱交換部５の最下部から熱交換ループを流通して伝熱媒体排水口１２から排出される。
【００１５】
図４に示す矢印は被処理流体貯留槽３に投入された流体の移動状況を表す。図４に示すように、被処理流体貯留槽３の底部中央には滴下孔４が穿設されており、この滴下孔４から滴下する被処理流体は熱交換部５のパイプ８の表面に沿って液膜を作りながら分布流下する。その際、一対のガイド板７によって飛散が防止され、隙間１３を通過することで通過流量が制御される。
【００１６】
熱交換部５は、複数の金属製パイプ８を連結板９によって縦方向に平行に連結されており、下部の角パイプ１４を通して冷却用伝熱媒体が供給される。また、角パイプ１４の上面には最下部のパイプ８を挟んで補集板１５が対向して配置されており、熱交換部５の表面に倣って流下する液体の飛散を防止し、この補集板１５と角パイプ１４との間に形成される隙間１３によって通過流量の調整が図られる。
【００１７】
この構成において、熱交換部５の表面積は、複数のパイプ８の表面積と連結板９の表面積との合計となり、投入された被熱処理流体を効率良く冷却することができる。尚、パイプ８の材料は、熱伝導性が良好で耐食性を有するものが好適に採用され、その表面は鏡面であることが望ましい。
【００１８】
熱交換部５の下方には漏斗状の受皿１６が形成され、その中央には排出口１７が設けられている。そして、冷却媒体を熱交換部５内を下から上方に向かって循環させて、ドリップしたてのコーヒーなどの高温の飲食用液体を被処理流体貯留槽３に投入するだけで、短時間で冷却水と同程度まで冷ますことができる。
【００１９】
［実験例１］
実施例１の冷却装置を使用して沸騰した熱水の冷却効果を確認した。冷却装置１に水温２５℃の水道水を循環させながら、２リットルの煮沸した熱水を上部タンクから投入した。下部排出口から排出される処理水をバケツで受け、その処理時間と処理後の水温を測定した結果、処理時間が１分４０秒、処理後の水温は２６℃であり、熱水を極めて短時間に冷却できることが分かった。
【実施例２】
【００２０】
図５乃至図１２に本発明装置の他の実施例を示すが、本発明装置は、飲料の冷却や源泉の冷却に留まらず、適度な温度調整が必要な熱交換装置として広範な分野で利用可能である。例えば、本発明の冷却装置とチラーを併用することで７０℃〜９５℃、流量３０リットル〜５０リットル／分の源泉を排出温度３５℃〜４０℃まで冷ますことができた。源泉温度が高温で加水して温度を調節、源泉温度６５℃〜７０℃、流量約３０リットル／分を、本装置を用いて４０℃まで冷ました。無加水のため、温泉成分が希釈されることなく、また水道使用費が削減でき経済的に優位である。尚、図中、１９は被処理流体投入管、２０は函体２の上蓋２ａの把持用取手である。
【００２１】
熱交換部５のサイズ、直径３２ｍｍ×長さ１０００ｍｍのパイプ８を２０段の本発明装置を使用して、気温２１℃の雰囲気中で水の冷却処理及び加温処理実験を行った。
［実験例２］
（熱水の冷却処理）
被処理水温：８１℃  
流量（流下量）２５リットル／分
伝熱媒体温度（冷却水温度）：２１℃
伝熱媒体流量：２０リットル／分
その結果、被処理水温３６℃まで冷却され、冷却水は５０℃まで加温された。
［実験例３］
（常温水の加熱処理）
被処理水温：２０℃
流量（流下量）２０リットル／分
伝熱媒体温度（加熱水温度）：８１℃
伝熱媒体流量：２０リットル／分
その結果、被処理水温は５２℃まで加熱され、加熱水は３９℃まで冷却された。
【産業上の利用可能性】
【００２２】
現在、各産業分野において、ボイラーは必要不可欠な熱交換器である。温泉施設から農業用・工業用・家庭用等、様々な場所で使用されている。例えば、冷泉を直接ボイラーで加熱し使用することで、温泉成分（スラッジの付着）がボイラーの故障・劣化・付着が原因となりメンテナンスに過大なコストがかかるばかりでなく、ボイラーの寿命も短い。そこで本発明装置を併用して、ボイラーからの高温水を伝熱媒体として供給し、ボイラーと熱交換器間で循環させることで、ボイラーの故障を防止し、燃費も向上する。また、ボイラーからの排熱も利用できる。さらに、排熱を処理して排熱温度を下げることで、ＣＯ２を削減することができ、環境保全問題の一助となり得る。
【００２３】
また、食品・飲料分野においても、加熱処理後の製品を即時冷却することで容器詰等も直ぐに行うことができ、生産性が向上する。また、迅速な容器詰めは風味の毀損を防止する。すなわち、液体用の熱交換器は、広範な分野で使用でき、装置の材質を変えることで、利用分野の拡大を図ることができる。
例えば、
工業用：（冷却水、工場排水、製品の冷却、ＰＣの冷却）。
農水産業用：（ハウスボイラー（循環させることで熱効率を高める）、水耕栽培、地熱栽培、魚類の養殖）。
製造業：（飲料、酒類、焼酎、だし、豆腐、アイス・冷凍食品）。
施設：（温泉、温水プール等のレジャー施設や健康ランド、宿泊施設、水族館）。
医療・医薬品製造、気体用の熱交換器、蒸気、排熱、地熱を利用した熱交換器、ボイラー排熱、木材乾燥時の蒸気処理、クリーニング蒸気処理。
【符号の説明】
【００２４】
１    流下液膜式熱交換装置
２    函体
２ａ  上蓋
２ｂ  扉
３    被処理流体貯留槽
４    流下透孔（滴下孔又はスリット）
５    熱交換部
６    支柱
７    ガイド板
８    金属パイプ
９    連結板
１０  折曲パイプ
１１  伝熱媒体注水口
１２  伝熱媒体排水口
１３  間隙
１４  角パイプ
１５  被処理流体補集板
１６  被処理流体受皿
１７  被処理流体排出口
１８  支持脚
１９  被処理流体投入管
２０  取手
【図１】
0005626522.tif 000002
【図２】
0005626522.tif 000003
【図３】
0005626522.tif 000004
【図４】
0005626522.tif 000005
【図５】
0005626522.tif 000006
【図６】
0005626522.tif 000007
【図７】
0005626522.tif 000008
【図８】
0005626522.tif 000009
【図９】
0005626522.tif 000010
【図１０】
0005626522.tif 000011
【図１１】
0005626522.tif 000012
【図１２】
0005626522.tif 000013